(57)【要約】【課題】  蓋の開放開始時に薄肉ヒンジ部の開放方向を規制し、捻り力を支持して薄肉ヒンジ部が破損しないようにすることのできるヒンジ蓋付き容器を提供する。【解決手段】  薄肉ヒンジ部１５を介して本体部１３の周縁に開閉可能に連結された蓋１４を有するヒンジ蓋付き容器１０であって、薄肉ヒンジ部１５による蓋１４の開放方向Ｘを規制する方向規制手段１６を薄肉ヒンジ部１５に近接して本体部１３と蓋１４に備えており、方向規制手段１６は、蓋１４に取り付けられ、薄肉ヒンジ部１５の上方外周面から薄肉ヒンジ部１５の外側を周回して下方に延設する周回突起物１７と、本体部１３の薄肉ヒンジ部１５の下方外周面に形成され、周回突起物の幅ｂ1と同様の幅ｂ1を有する案内開口１８とからなり、蓋の開放時に、案内開口１８の開口周縁に側縁を沿わせつつ周回突起物１７を案内開口１８で摺動させて、薄肉ヒンジ部１５による蓋１４の開閉方向Ｘを規制する。【選択図】      図２
2006256623.tif 000002
【特許請求の範囲】
【請求項１】
薄肉ヒンジ部を介して本体部の周縁に開閉可能に連結された蓋を有するヒンジ蓋付き容器であって、
前記蓋の開閉時に前記薄肉ヒンジ部による開閉方向を規制する方向規制手段を前記薄肉ヒンジ部に近接して前記本体部と前記蓋に備えており、
前記方向規制手段は、前記蓋に取り付けられ、前記薄肉ヒンジ部を挟んだ上方外周面から前記薄肉ヒンジ部の外側を周回して下方に延設する周回突起物と、前記本体部の前記薄肉ヒンジ部を挟んだ下方外周面に形成され、前記周回突起物の幅と同様の幅を有する案内開口とからなり、
前記蓋の開閉時に、前記案内開口の開口周縁に側縁を沿わせつつ前記周回突起物を前記案内開口で摺動させることにより、前記薄肉ヒンジ部による開閉方向を規制するヒンジ蓋付き容器。
【請求項２】
前記周回突起物は、弧状に湾曲形成された帯状プレート部材である請求項１記載のヒンジ蓋付き容器。
【発明の詳細な説明】
【技術分野】
【０００１】
本発明は、ヒンジ蓋付き容器に関し、特に、薄肉ヒンジ部を介して本体部の周縁に開閉可能に連結された蓋を有するヒンジ蓋付き容器に関する。
【背景技術】
【０００２】
ヒンジ蓋付き容器は、上部が閉塞された容器本体による本体部の上端周縁や、容器本体の上部に装着されたキャップによる本体部の上端周縁に、薄肉ヒンジ部を介して開閉可能に蓋を連結してなるものであり、蓋を開閉して、本体部に設けられた注出口を開放したり閉塞したりすることができるようになっている。ヒンジ蓋付き容器の薄肉ヒンジ部は、中央が薄肉となっていることにより二つ折りに折り曲げ可能な帯状部分によって構成されるのが一般的であり、また、帯状部分を一対平行に配置すると共に、これらの間に本体部に対して蓋を開く側や閉じる側に付勢する付勢手段を備えた、いわゆる３点ヒンジによるヒンジ蓋も公知である（例えば、特許文献１参照）。
【０００３】
さらに、本体部に対して蓋が閉じている状態や、付勢手段によって蓋が本体部に近接するように付勢されている状態で、蓋の内側に設けた係合部を被係合部に係合することにより、例えばキャップの容器本体への装着時に蓋に負荷される捻り力や、落下時に蓋に負荷される衝撃力等を支持させて、薄肉ヒンジ部が破損するのを防止できるようにしたキャップも開示されている（例えば、特許文献１参照）。
【特許文献１】特開２００１−２０６４１５号公報
【発明の開示】
【発明が解決しようとする課題】
【０００４】
一方、近年の製品や容器の多様化から、例えばデザイン性に優れた特徴的な外観を備える容器が種々開発されており、薄肉ヒンジ部を備えるヒンジ蓋付き容器として、例えば容器全体の外観からは薄肉ヒンジ部による開放方向を見分け難くなっている容器が用いられる場合がある。このようなヒンジ蓋付き容器では、使用者によっては、薄肉ヒンジ部の本来の開放方向とは異なる方向を蓋の開放方向と認識して蓋を開くことがあり、これによって、蓋の開放開始時に薄肉ヒンジ部に過度の捻り力が負荷される場合がある。
【０００５】
しかしながら、従来のヒンジ蓋付き容器では、蓋の開放開始時に薄肉ヒンジ部の開放方向を規制する手段を備えていないため、薄肉ヒンジ部の本来の開放方向とは異なる方向に蓋を開放した際に、このような誤った開放方向から、蓋が開くのに伴って薄肉ヒンジ部の本来の開放方向に誘導されてゆくまでの間、過大な捻り力が薄肉ヒンジ部に負荷されることになり、当該薄肉ヒンジ部が破損し易くなる。また特許文献１に記載の係合部を被係合部に係合させることによって薄肉ヒンジ部の破損を防止する手段では、本体部に対して蓋が閉じている状態や、付勢手段によって蓋が本体部に近接するように付勢されている状態では、捻り力や衝撃力等を支持することが可能であるが、その係合領域が小さいことから、蓋の開放開始時に本体部に対して蓋がある程度開いた後は、薄肉ヒンジ部に負荷される捻り力を十分に支持することは困難である。
【０００６】
本発明は、少なくとも蓋の開放開始時に薄肉ヒンジ部の開放方向を規制することができ、薄肉ヒンジ部の本来の開放方向に蓋が誘導されるまでの間、捻り力を効果的に支持して薄肉ヒンジ部が破損しないようにすることのできるヒンジ蓋付き容器を提供することを目的とする。
【課題を解決するための手段】
【０００７】
本発明は、薄肉ヒンジ部を介して本体部の周縁に開閉可能に連結された蓋を有するヒンジ蓋付き容器であって、前記蓋の開閉時に前記薄肉ヒンジ部による開閉方向を規制する方向規制手段を前記薄肉ヒンジ部に近接して前記本体部と前記蓋に備えており、前記方向規制手段は、前記蓋に取り付けられ、前記薄肉ヒンジ部を挟んだ上方外周面から前記薄肉ヒンジ部の外側を周回して下方に延設する周回突起物と、前記本体部の前記薄肉ヒンジ部を挟んだ下方外周面に形成され、前記周回突起物の幅と同様の幅を有する案内開口とからなり、前記蓋の開閉時に、前記案内開口の開口周縁に側縁を沿わせつつ前記周回突起物を前記案内開口で摺動させることにより、前記薄肉ヒンジ部による開閉方向を規制するヒンジ蓋付き容器を提供することにより、上記目的を達成したものである。
【発明の効果】
【０００８】
本発明のヒンジ蓋付き容器によれば、少なくとも蓋の開放開始時に薄肉ヒンジ部の開放方向を規制することができ、薄肉ヒンジ部の本来の開放方向に蓋が誘導されるまでの間、捻り力を効果的に支持して薄肉ヒンジ部が破損しないようにすることができる。
【発明を実施するための最良の形態】
【０００９】
本発明の好ましい一実施形態に係るヒンジ蓋付き容器１０は、図１及び図２に示すように、内部に例えばシャンプー等の液体洗剤を収容した容器本体１１の上部に、キャップ１２を装着することによって構成されるものである。またキャップ１２は、肩部１１ａや頭部１１ｂ（図４（ａ），（ｂ）参照）を含む容器本体１１の上端部分を覆って配置される本体部１３と、薄肉ヒンジ部１５を介してキャップ１２の本体部１３の周縁に開閉可能に連結される蓋１４とからなる。本第１実施形態では、容器本体１１の胴部１１ｃは、４方の側面１１ｄ及びこれらの側面１１ｄをつなぐ４箇所の角部１１ｅが滑らかに湾曲しながら連続する略４角形の外周断面形状を備えると共に、胴部１１ｃと連設するキャップ１２もまた、４方の側面１２ｄ及びこれらの側面１２ｄをつなぐ４箇所の角部１２ｅが滑らかに湾曲しながら連続する略４角形の外周断面形状を備えている。一方、キャップ１２の蓋１４は、例えば上部を斜めに面取りしたキャップ１２の一箇所の角部１２ｅ’において、本体部１３の上端周縁に薄肉ヒンジ部１５を介して連結されており、当該薄肉ヒンジ部１５が設けられた角部１２ｅ’と対角位置にある角部１２ｅに指を係止しつつ蓋１４の開放を行う方向が、薄肉ヒンジ部１５の本来の開放方向（開閉方向）Ｘとなっている。
【００１０】
これに対し、略４角形の外周断面形状を備える本実施形態のヒンジ蓋付き容器１０では、4方の側面１１ｄ，１２ｄのうちの何れか一つの側面を容器１０の正面と認識し易く、当該正面と認識した側面１１ｄ，１２ｄに沿って指を上方にスライド移動させて、蓋１４を開放しようとする場合がある。このような場合、側面１１ｄ，１２ｄに沿った指のスライド方向Ｙは、薄肉ヒンジ部１５の本来の開放方向Ｘとはずれることになり、これによって薄肉ヒンジ部１５には捻れ力が負荷されることになる。本第１実施形態では、後述する方向規制手段１６を備えることにより、特に蓋１４の開放時に、スライド方向Ｙに沿った開放方向から、蓋１４が開くのに伴って薄肉ヒンジ部１５の本来の開放方向Ｘに誘導されてゆくまでの間、このような捻れ力を効果的に支持して、薄肉ヒンジ部１５が破損するのを回避できるようにするものである。
【００１１】
そして、本実施形態のヒンジ蓋付き容器１０は、薄肉ヒンジ部１５を介してキャップ１２の本体部１３の上端周縁に開閉可能に連結された蓋１４を有する容器であって、蓋１４の開閉時に薄肉ヒンジ部１５による開閉方向を規制する方向規制手段１６を薄肉ヒンジ部１５に近接して本体部１３と蓋１４に備えており、この方向規制手段１６は、蓋１４に取り付けられ、薄肉ヒンジ部１５を挟んだ上方外周面から薄肉ヒンジ部１５の外側を周回して下方に延設する周回突起物１７と、本体部１３の薄肉ヒンジ部１５を挟んだ下方外周面に形成され、周回突起物１７の幅ｂ1と同様の幅ｂ2を有する案内開口１８とからなり、蓋１４の開閉時に、案内開口１８の開口周縁に側縁を沿わせつつ周回突起物１７を案内開口１８で摺動させることにより、薄肉ヒンジ部１５による開閉方向（開放方向）Ｘを規制するようになっている。
【００１２】
また、本実施形態では、周回突起物１７は、弧状に湾曲形成された帯状プレート部材によって構成されている。
【００１３】
本実施形態では、キャップ１２は、合成樹脂成形品であって、図３（ａ），（ｂ）にも示すように、中空スカート状の本体部１３の天面板１３ａの中央部分から下方に突出する円筒状の雌ねじ部１３ｂを、容器本体１１の頭部１１ｂに設けられた雄ねじに螺合することにより、各側面１２ｄを容器本体１１の側面１１ｄに連続させた状態で（図1参照）、同じく合成樹脂成形品である容器本体１１の上端部分に取り付けられる。また本体部１３の天面板１３ａの中央には、容器本体１１の頭部１１ｂ及びキャップ１４の雌ねじ部１３ｂの内側に配置される注出口２０が開口形成されている。この注出口２０を介して、容器本体１１に収容された液体洗剤を注出できるようになっていると共に、この注出口２０には、蓋１４の中央から下方に突出する開閉ロッド２１が着脱可能に挿入係止されて、蓋１４の開閉操作に伴って注出口２０を開閉することができるようになっている。
【００１４】
蓋１４は、薄肉ヒンジ部１５を介在させて本体部１３と一体成形されることにより、本体部１３に対して開閉可能に連結した状態で形成される。蓋１４は、本体部１３と同様の一箇所の角部１２ｅ’が面取りされた略４角形の平面形状を備えると共に、上端周縁部が外側に迫り出すように形成されており、指を係止し易くして開閉操作を容易に行えるようになっている。また、薄肉ヒンジ部１５が設けられた角部１２ｅ’とは対角位置にある蓋１４の角部１２ｅには、上端周縁部の下側部分を凹ませて指掛け凹部２２が形成されており、薄肉ヒンジ部１５の本来の開放方向Ｘに蓋１４を開放させる正しい指の係止位置を案内している。さらに、蓋１４の下面側には、同心状に配置された開閉ロッド２１と支持円筒２３とが中央部分から下方に突出して設けられている。開閉ロッド２１は、注出口２０の内径と略同様の外径を有していると共に、その下端外周面に、注出口２０の内径よりも外径が僅かに大きくなった環状段差部２１ａを備えている。蓋１４の下端周縁部１４ａが本体部１３の上端周縁部１３ｃに当接するまで蓋１４を閉塞した際に、開閉ロッド２１の環状段差部２１ａが、注出口２０を押し広げるように弾性変形させつつ注出口２０に挿入されて注出口２０の下端周縁に係止されることにより、蓋１４による本体部１３及び注出口２０の閉塞状態を、強固に保持できるようになっている。
【００１５】
キャップ１２の本体部１３と蓋１４とを連結する薄肉ヒンジ部１５は、薄肉ヒンジ部として公知のものであり、図４に示すように、例えば中央が薄肉となっていることにより二つ折りに折り曲げ可能な一対の帯状部分２５によって構成されている。また薄肉ヒンジ部１５は、これらの平行に配置された一対の帯状部分２５の間に配置されて、本体部１３に対して蓋１４を開く側や閉じる側に付勢する付勢手段としての弾性片２４を備えており、いわゆるクリアテックヒンジ形式のヒンジ部となっている。
【００１６】
本実施形態では、蓋１４の開閉時に薄肉ヒンジ部１５による開閉方向を規制する方向規制手段１６は、図２及び図３（ａ），（ｂ）に示すように、蓋１４に取り付けられた周回突起物１７と、本体部１３に形成された案内開口１８とによって構成される。周回突起物１７は、例えば、蓋１４と同一材質からなる、0.5〜2mm程度の厚さを有する帯状プレート部材であって、縦断形状が例えば略半円形状となるように弧状に湾曲して成形され、その一端が薄肉ヒンジ部１５の直上部分における周壁１４ｂの外周面に接合固定されて、片持ち状態で蓋１４に取り付けられる。周回突起物１７は、その縦断方向に沿った荷重を受けて容易に撓み変形可能な変形性を備えると共、幅方向の圧縮荷重を受けても容易に撓み変形することなく当該幅方向の圧縮荷重を支持可能な相当の保形剛性を備えている。また周回突起物１７は、好ましくは薄肉ヒンジ部１５の幅に収まる幅ｂ1を有すると共に、薄肉ヒンジ部１５を外側から覆うように周回しながら一対の帯状部分２５と平行に延設し、蓋１４の閉塞時においても、その下端部１７ａが薄肉ヒンジ部１５の直下部分に開口形成された案内開口１８に挿入された状態で取り付けられる。
【００１７】
案内開口１８は、キャップ１２の本体部１３の面取りされた角部１２ｅ’において、薄肉ヒンジ部１５の直下部分に開口形成される。本実施形態では、案内開口１８は、周回突起物１７の幅ｂ1と同様の当該幅ｂ1よりも僅かに広い幅ｂ2と、周回突起物１７を上下に遊嵌させることが可能な相当の高さを備える矩形形状に開口形成されている。案内開口１８が周回突起物１７の幅ｂ1と同様のこれよりも僅かに広い幅ｂ2を備えていることにより、蓋１４の開閉時に、案内開口１８の開口周縁に周回突起物１７の側縁を沿わせつつ周回突起物１７をスムーズに案内して、薄肉ヒンジ部１５による開閉方向Ｘを容易に規制することが可能になる。また案内開口１８が周回突起物１７を上下に遊嵌させることが可能な相当の高さを備えていることにより、案内開口１８の上下の周縁に周回突起物１７が接触してスムーズな摺動が妨げられるのを効果的に回避することが可能になる。
【００１８】
そして、上述の構成を備える本実施形態のヒンジ蓋付き容器１０によれば、少なくとも蓋１４の開放開始時に薄肉ヒンジ部１５の開放方向を規制することができ、薄肉ヒンジ部１５の本来の開放方向Ｘに蓋１４が誘導されるまでの間、捻り力を効果的に支持して薄肉ヒンジ部１５が破損しないようにすることができる。すなわち、本実施形態によれば、蓋１４に取り付けられ、薄肉ヒンジ部１５を挟んだ上方外周面から薄肉ヒンジ部１５の外側を周回して下方に延設する周回突起物１７と、本体部１３の薄肉ヒンジ部１５を挟んだ下方外周面に形成され、周回突起物の幅ｂ1と同様の幅ｂ2を有する案内開口１８とからなる方向規制手段１６を備えているので、蓋１４の開放時に当該蓋１４の開放に追随して、案内開口１８の開口周縁に周回突起物１７の側縁を沿わせつつ周回突起物１７を案内開口１８によって案内させながら摺動させてゆくことにより、開放時の全角度領域に亘って、薄肉ヒンジ部１５の開放方向Ｘを規制することが可能になり、また薄肉ヒンジ部１５に負荷される捻れ力を支持することが可能になる。これによって、薄肉ヒンジ部１５の本来の開放方向Ｘとは異なる方向Ｙを蓋１４の開放方向と認識して蓋１４が開かれる場合でも、誤った開放方向Ｙから、蓋１４が開くのに伴って薄肉ヒンジ部１５の本来の開放方向Ｘに誘導されてゆくまでの間、過大な捻り力が薄肉ヒンジ部１５に負荷されるのを抑制して、当該薄肉ヒンジ部１５が破損しないように効果的に保護することが可能になる。
【００１９】
また、本実施形態によれば、蓋１４が１８０度に近い広い角度で開放されるまで、安定した状態で薄肉ヒンジ部１５による開放方向を規制することが可能になると共に、蓋１４の開放時のみならず、閉塞時においても、安定した状態で薄肉ヒンジ部１５による閉塞方向を規制することが可能になる。
【００２０】
なお、本発明は上記実施形態に限定されることなく種々の変更が可能である。例えば、本発明のヒンジ蓋付き容器は、略４角形の外周断面形状を備える容器である必要は必ずしも無く、円形の外周断面形状等、その他の種々の形状を備える容器であっても良い。また、薄肉ヒンジ部の本来の開放方向を認識し難い容器である必要は必ずしも無く、薄肉ヒンジ部による開放方向が容易に判別可能な容器であっても、誤った方向に蓋が開放される場合もあることから、本発明のヒンジ蓋付き容器を好ましく採用することができる。さらに、薄肉ヒンジ部はクリアテックヒンジによるものである必要は必ずしもなく、容器に収容される収容物は、液体洗剤以外のその他の種々の収容物であっても良い。さらにまた、蓋は、キャップを介することなく上部が閉塞された容器本体を本体部として当該容器本体に直接連結されるものであっても良い。
【００２１】
また、周回突起物は、弧状に湾曲形成された帯状プレート部材である必要は必ずしも無く、例えば棒状部材や、縦断方向のみに可撓性を有する帯状シート部材等、案内開口の開口周縁に側縁を沿わせつつ摺動させることが可能なその他の種々の部材を用いることができる。さらに、案内開口は、円形、長円形、楕円等、矩形形状以外の形状であっても良い。
【図面の簡単な説明】
【００２２】
【図１】本発明の好ましい一実施形態に係るヒンジ蓋付き容器の斜視図である。
【図２】本発明の好ましい一実施形態に係るヒンジ蓋付き容器の要部を示す斜視図である。
【図３】（ａ）は本発明の好ましい一実施形態に係るヒンジ蓋付き容器の図１のＡ−Ａ線に沿った上部断面図、（ｂ）は蓋の開放開始時における図１のＡ−Ａ線に沿った上部断面図である。
【図４】本発明の好ましい一実施形態に係るヒンジ蓋付き容器における薄肉ヒンジ部を例示する部分斜視図である。
【符号の説明】
【００２３】
１０  ヒンジ蓋付き容器
１１  容器本体
１２  キャップ
１３  キャップの本体部
１４  キャップの蓋
１５  薄肉ヒンジ部
１６  方向規制手段
１７  周回突起物
１８  案内開口
２０  注出口
２１  開閉ロッド
２４  弾性片
２５  帯状部分の幅
ｂ1   周回突起物の幅
ｂ2   案内開口
Ｘ    薄肉ヒンジ部の本来の開放方向
Ｙ    薄肉ヒンジ部の本来の開放方向と異なる開放方向
【図１】
2006256623.tif 000003
【図２】
2006256623.tif 000004
【図３】
2006256623.tif 000005
【図４】
2006256623.tif 000006